(57)【要約】【課題】アニメーションを利用した電子メールを容易に作成および配信することを可能とするアニメメール通信システム、アニメメール配信方法、およびそのプログラムを提供する。【解決手段】送信者は、通信端末１００を用いて、必要なアニメメールフォーマット６００をネットワーク３００を介してサーバ４００に格納されているコンテンツ５００よりダウンロードする。通信端末１００は、サーバ４００からダウンロードしたアニメメールフォーマット６００に文字情報を入力し、アニメメールを作成する。作成されたアニメメールは、Ｎ（Ｎは１以上の整数）コマ分のアニメーション情報および文字情報により構成される。【選択図】        図１
2004171217.tif 000002
【特許請求の範囲】
【請求項１】
電子メールの送受信が可能な通信端末装置と、該通信端末装置とネットワークを介して接続されているメールフォーマット提供サーバと、を有するアニメメール通信システムであって、
前記通信端末装置は、
前記メールフォーマット提供サーバから、所定コマ数のアニメーション画像からなり、メール受信時における前記アニメーション画像各コマの再生順が設定されているアニメメールフォーマットを受信し、該受信したアニメメールフォーマットのアニメーション画像ごとに文字情報を入力して、電子メールを作成することを特徴とするアニメメール通信システム。
【請求項２】
電子メールの送受信が可能な通信端末装置と、該通信端末装置とネットワークを介して接続されているメールフォーマット提供サーバと、を有するアニメメール通信システムであって、
前記メールフォーマット提供サーバは、
所定コマ数のアニメーション画像からなり、メール受信時における前記アニメーション画像各コマの再生順が設定されているアニメメールフォーマットを格納するメールフォーマット格納手段と、
前記メールフォーマット格納手段により格納されたアニメメールフォーマットを送信するメールフォーマット送信手段とを有し、
前記通信端末装置は、
前記アニメメールフォーマットを受信するメールフォーマット受信手段と、
前記メールフォーマット受信手段により受信されたアニメメールフォーマットにおける各アニメーション画像上に文字情報を合成して電子メールを作成するメール作成手段と、
前記メール作成手段により作成された電子メールを前記ネットワークを介して接続されている他の通信端末装置に送信するメール送信手段と、
を有することを特徴とするアニメメール通信システム。
【請求項３】
電子メールの送受信が可能な通信端末装置と、該通信端末装置とネットワークを介して接続されているメールフォーマット提供サーバと、を有するアニメメール通信システムであって、
前記通信端末装置は、
前記メールフォーマット提供サーバから１コマのアニメーション画像からなるアニメメールフォーマットを受信し、該受信したアニメメールフォーマットのうち１つ以上の前記アニメメールフォーマットを抽出し、該抽出した１つ以上のアニメメールフォーマットの再生順を設定し、該再生順が設定された１つ以上のアニメメールフォーマットにそれぞれ文字情報を入力して、電子メールを作成することを特徴とするアニメメール通信システム。
【請求項４】
電子メールの送受信が可能な通信端末装置と、該通信端末装置とネットワークを介して接続されているメールフォーマット提供サーバと、を有するアニメメール通信システムであって、
前記メールフォーマット提供サーバは、
１コマのアニメーション画像からなるアニメメールフォーマットを格納するメールフォーマット格納手段と、
前記メールフォーマット格納手段により格納されたアニメメールフォーマットを送信するメールフォーマット送信手段とを有し、
前記通信端末装置は、
前記アニメメールフォーマットを受信するメールフォーマット受信手段と、
前記メールフォーマット受信手段により受信されたアニメメールフォーマットのうち１つ以上のアニメメールフォーマットを抽出するメールフォーマット抽出手段と、
前記メールフォーマット抽出手段により抽出された１つ以上のアニメメールフォーマットの再生順を設定する再生順序設定手段と、
前記再生順序設定手段により再生順が設定された１つ以上のアニメメールフォーマットのアニメーション画像上に文字情報を合成して電子メールを作成するメール作成手段と、
前記メール作成手段により作成された電子メールを前記ネットワークを介して接続されている他の通信端末装置に送信するメール送信手段と、
を有することを特徴とするアニメメール通信システム。
【請求項５】
前記メールフォーマット格納手段は、
前記アニメーション画像上に所定の画像表示動作を実行させるためのＧＵＩ部品が設けられている前記アニメメールフォーマットを格納することを特徴とする請求項２または４記載のアニメメール通信システム。
【請求項６】
電子メールの送受信が可能な通信端末装置と、該通信端末装置とネットワークを介して接続されているメールフォーマット提供サーバと、を用いるアニメメール配信方法であって、
前記メールフォーマット提供サーバが、所定コマ数のアニメーション画像からなり、メール受信時における前記アニメーション画像各コマの再生順が設定されているアニメメールフォーマットを格納するメールフォーマット格納工程と、
前記メールフォーマット提供サーバが、前記メールフォーマット格納工程により格納したアニメメールフォーマットを送信するメールフォーマット送信工程と、
前記通信端末装置が、前記アニメメールフォーマットを受信するメールフォーマット受信工程と、
前記通信端末装置が、前記メールフォーマット受信工程により受信したアニメメールフォーマットにおける各アニメーション画像上に文字情報を合成して電子メールを作成するメール作成工程と、
前記通信端末装置が、前記メール作成工程により作成した電子メールをネットワークを介して接続されている他の通信端末装置に送信するメール送信工程と、
を有することを特徴とするアニメメール配信方法。
【請求項７】
電子メールの送受信が可能な通信端末装置と、該通信端末装置とネットワークを介して接続されているメールフォーマット提供サーバと、を用いるアニメメール配信方法であって、
前記メールフォーマット提供サーバが、１コマのアニメーション画像からなるアニメメールフォーマットを格納するメールフォーマット格納工程と、
前記メールフォーマット提供サーバが、前記メールフォーマット格納工程により格納したアニメメールフォーマットを送信するメールフォーマット送信工程と、
前記通信端末装置が、前記アニメメールフォーマットを受信するメールフォーマット受信工程と、
前記通信端末装置が、前記メールフォーマット受信工程により受信したアニメメールフォーマットのうち１つ以上のアニメメールフォーマットを抽出するメールフォーマット抽出工程と、
前記通信端末装置が、前記メールフォーマット抽出工程により抽出した１つ以上のアニメメールフォーマットの再生順を設定する再生順序設定工程と、
前記通信端末装置が、前記再生順序設定工程により再生順を設定した１つ以上のアニメメールフォーマットのアニメーション画像上に文字情報を合成して電子メールを作成するメール作成工程と、
前記通信端末装置が、前記メール作成工程により作成した電子メールをネットワークを介して接続されている他の通信端末装置に送信するメール送信工程と、
を有することを特徴とするアニメメール配信方法。
【請求項８】
所定コマ数のアニメーション画像からなり、メール受信時における前記アニメーション画像各コマの再生順が設定されているアニメメールフォーマットを受信するメールフォーマット受信処理と、
前記メールフォーマット受信処理により受信されたアニメメールフォーマットにおける各アニメーション画像上に文字情報を合成して電子メールを作成するメール作成処理と、
前記メール作成処理により作成された電子メールを送信するメール送信処理と、
をコンピュータに実行させるためのプログラム。
【請求項９】
１コマのアニメーション画像からなるアニメメールフォーマットを受信するメールフォーマット受信処理と、
前記メールフォーマット受信処理により受信されたアニメメールフォーマットのうち１つ以上のアニメメールフォーマットを抽出するメールフォーマット抽出処理と、
前記メールフォーマット抽出処理により抽出された１つ以上のアニメメールフォーマットの再生順を設定する再生順序設定処理と、
前記再生順序設定処理により再生順が設定された１つ以上のアニメメールフォーマットのアニメーション画像上に文字情報を合成して電子メールを作成するメール作成処理と、
前記メール作成処理により作成された電子メールを送信するメール送信処理と、
をコンピュータに実行させるためのプログラム。
【発明の詳細な説明】
【０００１】
【発明の属する技術分野】
本発明は、アニメメール通信システム、アニメメール配信方法、およびそのプログラムに関し、特に、１コマ以上のアニメーション画像を含む電子メールを配信するアニメメール通信システム、アニメメール配信方法、およびそのプログラムに関する。
【０００２】
【従来の技術】
現在、個人の意思を相手に伝える場合は、インターネットの電子メールで見られるように、単純なテキストを用いて文字だけで情報を伝達していることが多かった。自身の感情を電子メールにおいて表現する方法としては、「絵文字」や「顔文字」といったイラストを電子メールの文中に組み込むといった方法があった。例えば、「楽しい」状態を表すには、「笑った顔」のマークを電子メール文中に挿入していた。
【０００３】
しかしながら、従来の「絵文字」や「顔文字」にはパターンに限りがあり、また必ずしも標準化されているわけではないので、同じ絵文字が別の意味に取られてしまうという恐れがあった。従って、従来の「絵文字」や「顔文字」では、感情を細かいニュアンスまで表現することが困難であった。
【０００４】
また、従来は、ストーリー性（起承転結）を持たせるために、電子メールが複数の画像およびメッセージを含むようにしても、メール受信者は、メール開封と同時に結論がうっかり視界に入ってきてしまい、面白味を欠く場合があった。
【０００５】
また、電子メールの内容にストーリー性を持たせるために、複数の電子メールに分割して送信する方法があるが、複数の電子メールにそれぞれメールアドレスなどを入力し、それぞれ送信する必要があり、手間がかかってしまっていた。
【０００６】
電子メールにストーリー性を持たせたものとしては、特開２００１−２０９５９３号公報（以下、特許文献１）が開示するところの３次元アニメーションによるメールがあった。特許文献１では、電子メールに３Ｄアニメを利用してメッセージの表現力を高めるとともに、紙芝居風に数コマの３Ｄアニメを組み合わせて電子メールにストーリー性を持たせていた。
【０００７】
【特許文献１】
特開２００１−２０９５９３号公報
【０００８】
【発明が解決しようとする課題】
しかしながら、特許文献１には、３Ｄアニメの取得方法が明記されておらず、電子メールの送信者が３Ｄアニメを用いた電子メールを作成することが困難である可能性があった。
【０００９】
本発明は、上記問題点に鑑みてなされたものであり、アニメーションを利用した電子メールを容易に作成および配信することを可能とするアニメメール通信システム、アニメメール配信方法、およびそのプログラムを提供することを目的とする。
【００１０】
【課題を解決するための手段】
かかる目的を達成するため、請求項１記載の発明は、電子メールの送受信が可能な通信端末装置と、通信端末装置とネットワークを介して接続されているメールフォーマット提供サーバと、を有するアニメメール通信システムであって、通信端末装置は、メールフォーマット提供サーバから、所定コマ数のアニメーション画像からなり、メール受信時におけるアニメーション画像各コマの再生順が設定されているアニメメールフォーマットを受信し、受信したアニメメールフォーマットのアニメーション画像ごとに文字情報を入力して、電子メールを作成することを特徴とする。
【００１１】
また、請求項２記載の発明は、電子メールの送受信が可能な通信端末装置と、通信端末装置とネットワークを介して接続されているメールフォーマット提供サーバと、を有するアニメメール通信システムであって、メールフォーマット提供サーバは、所定コマ数のアニメーション画像からなり、メール受信時におけるアニメーション画像各コマの再生順が設定されているアニメメールフォーマットを格納するメールフォーマット格納手段と、メールフォーマット格納手段により格納されたアニメメールフォーマットを送信するメールフォーマット送信手段とを有し、通信端末装置は、アニメメールフォーマットを受信するメールフォーマット受信手段と、メールフォーマット受信手段により受信されたアニメメールフォーマットにおける各アニメーション画像上に文字情報を合成して電子メールを作成するメール作成手段と、メール作成手段により作成された電子メールをネットワークを介して接続されている他の通信端末装置に送信するメール送信手段と、を有することを特徴とする。
【００１２】
また、請求項３記載の発明は、電子メールの送受信が可能な通信端末装置と、通信端末装置とネットワークを介して接続されているメールフォーマット提供サーバと、を有するアニメメール通信システムであって、通信端末装置は、メールフォーマット提供サーバから１コマのアニメーション画像からなるアニメメールフォーマットを受信し、受信したアニメメールフォーマットのうち１つ以上のアニメメールフォーマットを抽出し、抽出した１つ以上のアニメメールフォーマットの再生順を設定し、再生順が設定された１つ以上のアニメメールフォーマットにそれぞれ文字情報を入力して、電子メールを作成することを特徴とする。
【００１３】
また、請求項４記載の発明は、電子メールの送受信が可能な通信端末装置と、通信端末装置とネットワークを介して接続されているメールフォーマット提供サーバと、を有するアニメメール通信システムであって、メールフォーマット提供サーバは、１コマのアニメーション画像からなるアニメメールフォーマットを格納するメールフォーマット格納手段と、メールフォーマット格納手段により格納されたアニメメールフォーマットを送信するメールフォーマット送信手段とを有し、通信端末装置は、アニメメールフォーマットを受信するメールフォーマット受信手段と、メールフォーマット受信手段により受信されたアニメメールフォーマットのうち１つ以上のアニメメールフォーマットを抽出するメールフォーマット抽出手段と、メールフォーマット抽出手段により抽出された１つ以上のアニメメールフォーマットの再生順を設定する再生順序設定手段と、再生順序設定手段により再生順が設定された１つ以上のアニメメールフォーマットのアニメーション画像上に文字情報を合成して電子メールを作成するメール作成手段と、メール作成手段により作成された電子メールをネットワークを介して接続されている他の通信端末装置に送信するメール送信手段と、を有することを特徴とする。
【００１４】
また、請求項５記載の発明によれば、請求項２または４記載のアニメメール通信システムにおいて、メールフォーマット格納手段は、アニメーション画像上に所定の画像表示動作を実行させるためのＧＵＩ部品が設けられているアニメメールフォーマットを格納することを特徴とする。
【００１５】
また、請求項６記載の発明は、電子メールの送受信が可能な通信端末装置と、通信端末装置とネットワークを介して接続されているメールフォーマット提供サーバと、を用いるアニメメール配信方法であって、メールフォーマット提供サーバが、所定コマ数のアニメーション画像からなり、メール受信時におけるアニメーション画像各コマの再生順が設定されているアニメメールフォーマットを格納するメールフォーマット格納工程と、メールフォーマット提供サーバが、メールフォーマット格納工程により格納したアニメメールフォーマットを送信するメールフォーマット送信工程と、通信端末装置が、アニメメールフォーマットを受信するメールフォーマット受信工程と、通信端末装置が、メールフォーマット受信工程により受信したアニメメールフォーマットにおける各アニメーション画像上に文字情報を合成して電子メールを作成するメール作成工程と、通信端末装置が、メール作成工程により作成した電子メールをネットワークを介して接続されている他の通信端末装置に送信するメール送信工程と、を有することを特徴とする。
【００１６】
また、請求項７記載の発明は、電子メールの送受信が可能な通信端末装置と、通信端末装置とネットワークを介して接続されているメールフォーマット提供サーバと、を用いるアニメメール配信方法であって、メールフォーマット提供サーバが、１コマのアニメーション画像からなるアニメメールフォーマットを格納するメールフォーマット格納工程と、メールフォーマット提供サーバが、メールフォーマット格納工程により格納したアニメメールフォーマットを送信するメールフォーマット送信工程と、通信端末装置が、アニメメールフォーマットを受信するメールフォーマット受信工程と、通信端末装置が、メールフォーマット受信工程により受信したアニメメールフォーマットのうち１つ以上のアニメメールフォーマットを抽出するメールフォーマット抽出工程と、通信端末装置が、メールフォーマット抽出工程により抽出した１つ以上のアニメメールフォーマットの再生順を設定する再生順序設定工程と、通信端末装置が、再生順序設定工程により再生順を設定した１つ以上のアニメメールフォーマットのアニメーション画像上に文字情報を合成して電子メールを作成するメール作成工程と、通信端末装置が、メール作成工程により作成した電子メールをネットワークを介して接続されている他の通信端末装置に送信するメール送信工程と、を有することを特徴とする。
【００１７】
また、請求項８記載の発明は、所定コマ数のアニメーション画像からなり、メール受信時におけるアニメーション画像各コマの再生順が設定されているアニメメールフォーマットを受信するメールフォーマット受信処理と、メールフォーマット受信処理により受信されたアニメメールフォーマットにおける各アニメーション画像上に文字情報を合成して電子メールを作成するメール作成処理と、メール作成処理により作成された電子メールを送信するメール送信処理と、をコンピュータに実行させることを特徴とする。
【００１８】
また、請求項９記載の発明は、１コマのアニメーション画像からなるアニメメールフォーマットを受信するメールフォーマット受信処理と、メールフォーマット受信処理により受信されたアニメメールフォーマットのうち１つ以上のアニメメールフォーマットを抽出するメールフォーマット抽出処理と、メールフォーマット抽出処理により抽出された１つ以上のアニメメールフォーマットの再生順を設定する再生順序設定処理と、再生順序設定処理により再生順が設定された１つ以上のアニメメールフォーマットのアニメーション画像上に文字情報を合成して電子メールを作成するメール作成処理と、メール作成処理により作成された電子メールを送信するメール送信処理と、をコンピュータに実行させることを特徴とする。
【００１９】
【発明の実施の形態】
（第１の実施形態の概略）
図１は、本発明の第１の実施形態におけるアニメメール通信システムの構成を示す図である。アニメメール通信システムは、通信端末１００、２００と、ネットワーク３００、７００と、サーバ４００とを有する。以下、図１を用いて、本実施形態の概略について説明する。
【００２０】
送信者は、通信端末１００を用いて、必要なアニメーション（以下、アニメ）メールフォーマット６００をネットワーク３００を介し、サーバ４００に格納されているコンテンツ５００よりダウンロードする。通信端末１００は、サーバ４００からダウンロードしたアニメメールフォーマット６００を利用し、電子メール（以下、アニメメール）を作成する。作成されたアニメメールは、Ｎ（Ｎは１以上の整数）コマ分のアニメーション情報およびドキュメント（文字情報）により構成される。
【００２１】
通信端末１００は、作成したアニメメールをネットワーク７００を介して通信端末２００に送信する。
【００２２】
受信者が、通信端末２００を用いて、アニメメールを開封すると、始めにアニメメールの１コマ目が表示される。次に、受信者は、通信端末２００を用いて、１コマ目のアニメ画面に表示される操作指示にしたがって２コマ目、さらに３コマ目、．．．．．と読み進めていく。このようなアニメメールを利用することで、送信者は、自身の感情を受信者に的確に伝え、また受信者も送信者の感情を視覚的に読み取ることができる。
【００２３】
（第１の実施形態の構成）
図２は、本発明の第１の実施形態における通信端末１００、２００の構成を示す図である。以下、図１および図２を用いて、本実施形態におけるアニメメール通信システムの構成について説明する。
【００２４】
上述したように、アニメメール通信システムは、通信端末１００、２００と、ネットワーク３００、７００と、サーバ４００とを有する。通信端末１００は、ネットワーク３００を介してサーバ４００と接続されている。また、通信端末１００は、ネットワーク７００を介して通信端末２００と接続されている。
【００２５】
通信端末１００は、通信機能を有する携帯型の通信処理装置である。アニメメールの送信側のユーザ（送信者）が通信端末１００を操作するものとする。通信端末１００は、例えば、携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、またはパーソナルコンピュータなどであってもよい。通信端末１００は、制御部１１と、送受信部１２と、情報格納部１３と、表示部１４と、操作部１５と、音声入出力部１６とを有する。
【００２６】
制御部１１は、送受信部１２、情報格納部１３、表示部１４、操作部１５、および音声入出力部１６を含む通信端末１００の各部位に接続されており、上記の接続された部位などの制御を行う。
【００２７】
送受信部１２は、情報の送受信を行う部位であって、ネットワーク３００、７００が接続されている。
【００２８】
情報格納部１３は、情報を格納する部位であって、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの記録媒体であってもよい。
【００２９】
表示部１４は、情報を表示する部位であって、例えば、ＬＣＤ（ＬｉｑｕｉｄＣｒｙｓｔａｌ  Ｄｉｓｐｌａｙ）または有機ＥＬ（Ｅｌｅｃｔｒｏｌｕｍｉｎｅｓｃｅｎｃｅ）ディスプレイなどであってもよい。
【００３０】
操作部１５は、情報を入力する部位であって、例えばテンキーまたは十字キーなどが設けられているとしてもよい。
【００３１】
音声入出力部１６は、音声を入出力する部位であって、例えばマイクおよびスピーカなどにより構成されるとしてもよい。
【００３２】
通信端末２００は、通信機能を有する携帯型の通信処理装置である。アニメメールの受信側のユーザ（受信者）が通信端末２００を操作するものとする。通信端末２００は、例えば、携帯電話機、ＰＨＳ、ＰＤＡ、またはパーソナルコンピュータなどであってもよい。通信端末２００は、制御部２１と、送受信部２２と、情報格納部２３と、表示部２４と、操作部２５と、音声入出力部２６とを有する。
【００３３】
また、制御部２１、送受信部２２、情報格納部２３、表示部２４、操作部２５、および音声入出力部２６は、それぞれ制御部１１、送受信部１２、情報格納部１３、表示部１４、操作部１５、および音声入出力部１６と同様である。ただし、送受信部２２には、ネットワーク７００が接続され、ネットワーク３００は接続されていない。
【００３４】
ネットワーク３００、７００は、それぞれ有線／無線の通信網であって、有線および無線の通信網が組み合わさったものであってもよい。ネットワーク３００、７００は、例えばインターネット、ＬＡＮ（Ｌｏｃａｌ  Ａｒｅａ  Ｎｅｔｗｏｒｋ）、またはＷＡＮ（Ｗｉｄｅ  Ａｒｅａ  Ｎｅｔｗｏｒｋ）などであってもよい。また、ネットワーク３００、７００上には、ゲートウェイ装置が設けられているとしてもよく、ネットワーク３００、７００に接続された各通信機器で使用される通信プロトコルが異なる場合であっても通信機器間における通信を可能としている。
【００３５】
サーバ４００は、情報処理装置であって、例えばワークステーションなどのハイエンドＰＣであってもよい。サーバ４００は、１つ以上のコンテンツ５００を格納する。
【００３６】
コンテンツ５００は、サーバ４００から通信端末１００に送信される情報であって、それぞれ１つ以上のアニメメールフォーマット６００を含む。例えば、誕生日メッセージ用、パーティ招待用などといった用途ごと、あるいはスポーツ、映画、音楽などといった分野ごとに、アニメメールフォーマット６００をまとめて１つのコンテンツ５００に含むようにしてもよい。また、同一のアニメメールフォーマット６００の提供事業者が提供するアニメメールフォーマット６００をまとめて１つのコンテンツ５００に含むようにしてもよい。
【００３７】
アニメメールフォーマット６００は、Ｎ（Ｎは１以上の整数）コマ分のアニメーション画像を含む情報であり、アニメメールフォーマット６００の各コマのアニメーション画像には、任意の文字情報（ドキュメント）を挿入するドキュメント入力欄が設けられている。
【００３８】
また、アニメメールフォーマット６００には、Ｎコマのアニメーション画像の表示順を示す画像表示順情報が付加されている。画像表示順情報とは、１つのアニメメールフォーマット６００におけるＮコマ分のアニメーション画像のうち、アニメメール受信側（通信端末２００）でどのアニメーション画像がｎコマ目（ｎは１以上Ｎ以下の整数）に表示されるかを指定するための情報である。
【００３９】
（第１の実施形態の動作）
図３は、第１の実施形態の通信端末１００による動作の流れを示すフローチャートである。以下、図１および図２を用い、図３に沿って、本実施形態における通信端末１００によるアニメメール作成・送信動作について説明する。
【００４０】
まず、送受信部１２は、サーバ４００に対して接続を要求する旨の情報を送信する。送受信部２２が、通信端末１００から接続を要求する旨の情報を受信すると、制御部２１は、通信端末１００に対して接続を許可する。このようにして、通信端末１００は、サーバ４００に接続する（ステップＳ１０１）。
【００４１】
次に、サーバ４００は、自身に格納されているアニメメールフォーマット６００の一覧を示す情報であるアニメメールフォーマットリストを通信端末１００に送信する。送受信部１２は、サーバ４００からアニメメールフォーマットリストを受信すると、表示部１４は、受信したアニメメールフォーマットリストを表示する（ステップＳ１０２）。
【００４２】
送信者は、表示部１４に表示されているアニメメールフォーマットリストを閲覧し、希望のアニメメールフォーマット６００が表示されていない場合（ステップＳ１０２／Ｎｏ）、操作部１５を用いて、他のアニメメールフォーマットリストの送信を要求する旨の情報を入力する。送受信部１２は、入力された他のアニメメールフォーマットリストの送信要求をサーバ４００に送信する。サーバ４００は、送信要求された他のアニメメールフォーマットリストを通信端末１００に送信する。表示部１４は、送受信部１２により受信された他のアニメメールフォーマットリストを同様に表示する（ステップＳ１０２）。
【００４３】
表示部１４が、送信者が希望するアニメメールフォーマット６００を表示している場合（ステップＳ１０３／Ｙｅｓ）、操作部１５は、送信者が希望するアニメメールフォーマット６００のダウンロードを要求する旨の情報を入力する。送受信部１２は、上記の入力されたダウンロード要求情報をサーバ４００に送信する。サーバ４００が上記のダウンロード要求情報を受信すると、自身が格納している複数のアニメメールフォーマット６００のうち、ダウンロード要求されているアニメメールフォーマット６００を抽出して通信端末１００に送信する（ステップＳ１０４）。
【００４４】
情報格納部１３は、自身が格納しているアニメメールフォーマット６００の一覧情報を示す格納フォーマットリストを保持している。送受信部１２がサーバ４００からアニメメールフォーマット６００を受信すると、制御部１１は、受信されたアニメメールフォーマット６００を情報格納部１３に格納するとともに、格納フォーマットリストにその格納されたアニメメールフォーマット６００に係る情報を追加して書き込む。なお、格納フォーマットリストは、情報格納部１３に格納されているアニメメールフォーマット６００の名称、ダウンロード日時、およびアニメメールフォーマット６００のサムネイル画像などの情報要素を含むとしてもよい。また、上記の各情報要素およびアニメメールフォーマット６００自体は、アニメメールフォーマット６００の識別情報により互いに対応付けて情報格納部１３に管理されているとしてよい。
【００４５】
次に、制御部１１は、操作部１５により格納フォーマットリストの表示を要求する旨の情報が入力されたことを認識すると、情報格納部１３から格納フォーマットリストを抽出し、表示部１４に表示させる（ステップＳ１０５）。
【００４６】
次に、制御部１１は、操作部１５によりアニメメール作成を指示する旨の情報が入力されたか否かを判断する（ステップＳ１０６）。
【００４７】
アニメメール作成を指示する旨の情報が入力されず、操作部１５により通常の電子メールの作成を指示する旨の情報が入力されたと判断された場合（ステップＳ１０６／Ｎｏ）、ステップＳ１０８に移行し、制御部１１は、情報格納部１３に格納されている情報および操作部１５により入力された情報を用いて通常の電子メールを作成する（ステップＳ１０８）。
【００４８】
アニメメール作成を指示する旨の情報が入力されたと判断された場合（ステップＳ１０６／Ｙｅｓ）、制御部１１は、格納フォーマットリストに示されたアニメメールフォーマット６００のうち、操作部１５により所定のアニメメールフォーマット６００を選択する旨の情報が入力されたか否かを判断する。
【００４９】
制御部１１は、所定のアニメメールフォーマット６００が選択されたことを認識すると（ステップＳ１０７）、情報格納部１３に格納されている情報および操作部１５により入力された情報を用いてアニメメールを作成する（ステップＳ１０８）。
【００５０】
図４は、本発明の第１の実施形態におけるアニメメールフォーマット６００の一例を示す図である。ここで、図４を用いて、通信端末１００によるアニメメール作成処理について具体的に説明する。
【００５１】
まず、制御部１１は、所定のアニメメールフォーマット６００が選択されたことを認識すると、情報格納部１３に格納されているアニメメールフォーマット６００のうち、選択されたアニメメールフォーマット６００を呼び出し、抽出する。
【００５２】
ここで、抽出されたアニメメールフォーマット６００は、例えば図４に示されるような４コマのアニメーション画像により構成されるものとし、１コマ目のアニメーション画像６１０、２コマ目のアニメーション画像６２０、３コマ目のアニメーション画像６３０の順にアニメメール受信側の通信端末２００で表示されるものとする。
【００５３】
まず、表示部１４は、抽出したアニメメールフォーマット６００の１コマ目のアニメーション画像６１０を表示する。制御部１１は、操作部１５により入力された情報に基づいて、１コマ目のアニメーション画像６１０上に文字情報を合成する。
【００５４】
制御部１１は、１コマ目のアニメーション画像６１０表示時に、操作部１５に設けられた所定のキーである決定キーの押下を認識すると、次の２コマ目のアニメーション画像６２０を表示部１４に表示させる。１コマ目と同様に、制御部１１は、操作部１５により入力された情報に基づいて、２コマ目のアニメーション画像６２０上に文字情報を合成する。
【００５５】
制御部１１は、２コマ目のアニメーション画像６２０表示時に、決定キーの押下を認識すると、次の３コマ目のアニメーション画像６３０を表示部１４に表示させる。２コマ目と同様に、制御部１１は、操作部１５により入力された情報に基づいて、３コマ目のアニメーション画像６３０上に文字情報を合成する。
【００５６】
また、図４に示されているように、３コマ目のアニメーション画像６３０上には、アスタリスク（＊）で示される操作指示キー６３１が設けられている。なお、操作指示キー６３１は、ＧＵＩ（Ｇｒａｐｈｉｃａｌ  Ｕｓｅｒ  Ｉｎｔｅｒｆａｃｅ）環境下におけるアイコンにより実現されるとしてよい。
【００５７】
制御部１１は、３コマ目のアニメーション画像６３０表示時に、決定キー押下を認識すると、表示部１４は、操作指示キー６３１選択時におけるアニメーション動作を実行し、最終的に操作指示実行後の３コマ目のアニメーション画像６４０を表示する。３コマ目と同様に、制御部１１は、操作部１５により入力された情報に基づいて、操作指示実行後の３コマ目のアニメーション画像６４０上に文字情報を合成する。
【００５８】
最終コマまでの文字情報入力が終了後、制御部１１は、操作部１５上における所定のキーの押下または表示部１４上のＧＵＩ部品の選択を認識すると、表示部１４にプレビュー機能の動作を実行させる。プレビュー機能とは、文字情報が合成されたアニメメールフォーマット６００、すなわち作成されたアニメメールの各コマの内容を表示する機能である。送信者は、プレビュー機能を利用することにより、自身が作成したアニメメールの内容を送信前に確認することができる。
【００５９】
なお、予めアニメメールフォーマット６００で定められているアニメーション画像上の所定の領域に文字情報を合成するようにしてもよいし、アニメーション画像上の任意の領域に文字情報を合成可能としてもよい。
【００６０】
また、本実施形態では、各アニメーション画像に文字情報を合成するとしたが、各アニメーション画像に情報格納部１３に格納される音声情報を合成してもよい。音声情報は、通信端末１００で作成されたとしてもよいし、ネットワークを介して通信端末１００にダウンロードしたものであってもよいし、また記録媒体を介して取得したものであってもよい。また、音声情報は、アニメメールフォーマット６００とともにサーバ４００からダウンロードされるものであってもよい。メール受信側は、各アニメーション画像再生する際に、合成された音声情報をともに再生する。
【００６１】
ここで、再度図３のフローチャートに沿って、通信端末１００における動作の説明を進める。送信者は、通信端末１００によるアニメメール作成後、プレビュー機能により作成されたアニメメールの内容を確認し、作成された内容でよければ操作部１５を用いて、送信先（通信端末２００）のメールアドレスを入力する（ステップＳ１０９）。
【００６２】
制御部１１は、操作部１５による送信先メールアドレス入力認識後、操作部１５によりアニメメール送信要求を示す情報が入力されたことを認識すると、入力された送信先でアニメメールを送信することを送受信部１２に指示する。送受信部１２は、情報格納部１３に格納されているアニメメールを指示された送信先メールアドレスに送信する（ステップＳ１１０）。以上で、通信端末１００は、アニメメール作成・送信動作を終了する。
【００６３】
図５は、本発明の第１の実施形態における通信端末２００による動作の流れを示すフローチャートである。以下、図１および図２を用い、図５に沿って、本実施形態における通信端末２００によるアニメメールの受信・表示動作について説明する。
【００６４】
まず、送受信部２２は、通信端末１００から送信されたアニメメールを受信する（ステップＳ２０１）。制御部２１は、受信されたアニメメールを情報格納部２３に格納する。
【００６５】
受信者は、操作部２５を操作して、受信されたアニメメールの開封要求を入力する。制御部２１は、操作部２５によりアニメメールの開封要求が入力されたことを認識すると、情報格納部２３に格納されたアニメメールの１コマ目のアニメーション画像を表示部２４に表示させる（ステップＳ２０２）。
【００６６】
表示部２４に表示されているアニメーション画像上に所定の操作指示を示すＧＵＩ部品（アイコンなど）が設けられておらず、制御部２１が、操作部２５により次のコマのアニメーション画像の表示要求が入力されたことを認識すると（ステップＳ２０３／Ｎｏ）、表示部２４に次のコマのアニメーション画像を表示させる（ステップＳ２０２）。
【００６７】
表示部２４に表示されているアニメーション画像上に所定の操作指示を示すＧＵＩ部品（操作指示キー）が設けられており（ステップＳ２０３／Ｙｅｓ）、制御部２１は、操作部２５によりアニメーション画像上の操作指示キーが選択されたことを認識すると（ステップＳ２０４）、予めアニメメールにおいて設定されている操作指示に基づく表示動作を表示部２４に実行させる（ステップＳ２０５）。
【００６８】
表示部２４に最終コマ以外のアニメーション画像が表示されており、制御部２１は、操作部２５により次のコマのアニメーション画像の表示を要求する旨の情報が入力されたことを認識すると（ステップＳ２０６／Ｎｏ）、ステップＳ２０２に移行し、次のコマのアニメーション画像を表示部２４に表示させ、以降の処理が実行される。
【００６９】
表示部２４に最終コマのアニメーション画像が表示されており、制御部２１は、操作部２５によりアニメメールの表示終了を要求する旨の情報が入力されたと認識すると（ステップＳ２０６／Ｙｅｓ）、通信端末２００は、動作を終了する。
【００７０】
図６は、本発明の第１の実施形態におけるアニメメールの一例を示す図である。図６に示されるアニメメールは、通信端末１００により、図４に示されるアニメメールフォーマット６００に文字情報を合成して作成されたものである。以下、図６を用いて、通信端末２００によるアニメメールの表示動作について具体的に説明する。
【００７１】
図６に示されているように、本実施形態では、アニメメールは４コマのアニメーション画像から構成されている。各アニメーション画像上には通信端末１００で入力された文字情報が合成されている。また、各アニメーション画像再生と同時に、音声入出力部２６は、通信端末１００により添付された音声情報を再生する。
【００７２】
制御部２１は、操作部２５によりアニメメールの開封要求を示す情報が入力されたことを認識すると、１コマ目のアニメーション画像８１０の動作を表示部２４に実行させる。１コマ目のアニメーション画像８１０には、「ＮＥＸＴ」と表記されたＮＥＸＴキー８１１が設けられている。
【００７３】
制御部２１は、１コマ目のアニメーション画像８１０上のＮＥＸＴキー８１１が選択されたことを認識すると、次の２コマ目のアニメーション画像８２０の動作を表示部２４に実行させる。２コマ目のアニメーション画像８２０上にも同様に次のコマを表示させるためのＮＥＸＴキー８２１が設けられている。
【００７４】
制御部２１は、２コマ目のアニメーション画像８２０上のＮＥＸＴキー８２１が選択されたことを認識すると、次の３コマ目のアニメーション画像８３０を表示部２４に表示させる。３コマ目のアニメーション画像８３０上には、表示部２４に所定の表示動作を実行させるための操作指示キー８３１が設けられている。図６では、操作指示キー８３１は、アスタリスク（＊）で示されている。
【００７５】
制御部２１は、操作部２５により操作指示キー８３１が選択されたことを認識すると、予め３コマ目のアニメーション画像８３０に設定されているアニメーション表示動作を表示部２４に実行させる。例えば、操作指示キー８３１が押下されると、操作指示実行後の３コマ目のアニメーション画像８４０に示されているように、箱からクマが飛び出したり、背景に星が流れるといった仕掛け（アニメーション画像、映像、音声など）が現れる。
【００７６】
また、操作指示実行後の３コマ目のアニメーション画像８４０上には、操作指示実行後の３コマ目のアニメーション画像８４０が最終コマであることを示し、「ＥＮＤ」と表記されたＥＮＤキー８４１が設けられている。制御部２１は、操作部２５によりＥＮＤキー８４１が選択されたことを認識すると、表示部２４にアニメメールの表示を終了させる。
【００７７】
このように、操作指示キーが設けられていないアニメーション画像では、直前のコマのアニメーション画像に設けられているＮＥＸＴキーが操作部２５に選択されると、表示部２４は、そのアニメーション画像動作を実行する。一方、操作指示キーが設けられているアニメーション画像では、その操作指示キーが操作部２５により選択されると、表示部２４は、そのアニメーション画像に設定されている別のアニメーション動作をさらに実行する。従って、アニメーション画像上に操作指示キーを設けることにより、メール受信側の操作指示によりアニメーション画像におけるアニメーション動作を開始させることが可能となる。
【００７８】
以上説明したように、本実施形態によれば、通信端末１００は、アニメーション画像により構成されるアニメメールを送信する。従って、ドキュメントのみのメールと比較すると、メールにアニメを取り入れることで、受信者が直感的に内容を理解することが可能となる。また、送信者の感情を表現するためにアニメを用いることにより、日常生活の多くの場面で有効に活用でき、その結果、自分の気持ちをありのままに伝えたいという場面で、自身の感情を効果的に表現することが可能となる。
【００７９】
また、本実施形態によれば、通信端末１００は、ストーリー性を持たせた数コマのアニメーション画像をまとめて一通の電子メールとしたアニメメールを送信する。従って、受信者がアニメメールを開封しても、直ぐに結論が見えないようになっており、受信者の好奇心をくすぐることが可能となる。
【００８０】
また、本実施形態によれば、通信端末１００は、数コマのアニメーション画像から構成されるアニメメールフォーマット６００をサーバ４００からダウンロードし、その各コマに文字情報を入力することによりアニメメールを作成する。通信端末１００は、作成したアニメメールを通信端末２００に送信する。従って、メール送信者は、文字情報を入力するだけの簡単な操作で、自身の感情を効果的に表現可能なストーリー性を有するメールを送付することが可能となる。
【００８１】
（第２の実施形態の概略・構成）
本発明の第２の実施形態における構成および動作は、以下特記しない限り、本発明の第１の実施形態と同様であるとし、図１および図２を用いて説明を進める。
【００８２】
第１の実施形態では、通信端末１００は、コマ表示の順序が予め設定されていた数コマ分のアニメーション画像から構成されるアニメメールフォーマット６００をサーバ４００からダウンロードして、そのアニメメールフォーマット６００のアニメーション画像上に文字情報を入力することによりアニメメールを作成していた。これに対し、本実施形態では、通信端末１００は、サーバ４００から１コマ単位のアニメーション画像であるアニメメールフォーマット６００をサーバ４００からダウンロードし、ダウンロードしたいくつかのアニメメールフォーマット６００を組み合わせてアニメメールを作成する。
【００８３】
（第２の実施形態の動作）
以下、図１および図２を用い、本実施形態における通信端末１００によるアニメメール作成・送信動作について説明する。
【００８４】
まず、通信端末１００は、サーバ４００から送信者が希望するアニメメールフォーマット６００をダウンロードする。なお、上述したように、ダウンロードされたアニメメールフォーマット６００は、１コマのアニメーション画像により構成されるものとする。
【００８５】
情報格納部１３は、自身が格納しているアニメメールフォーマット６００の一覧情報を示す格納フォーマットリストを保持している。格納フォーマットリストには、情報格納部１３に格納されているアニメメールフォーマット６００の名称、ダウンロード日時、およびアニメメールフォーマット６００のサムネイル画像などの情報要素を含むとしてもよい。また、上記の各情報要素およびアニメメールフォーマット６００自体は、アニメメールフォーマット６００の識別情報により互いに対応付けて情報格納部１３に管理されているとしてよい。
【００８６】
制御部１１は、操作部１５により格納フォーマットリストの表示を要求する旨の情報が入力されたことを認識すると、情報格納部１３から格納フォーマットリストを抽出し、表示部１４に表示させる。送信者は、操作部１５を用いて、格納フォーマットリストに表示されているアニメメールフォーマット６００の名称（そのサムネイル画像とともに表示されるとしてもよい）から、アニメメール作成に用いるアニメメールフォーマット６００を選択する。
【００８７】
図７、８、９は、本発明の第２の実施形態におけるアニメメール作成画面を示す図である。以下、図７、８、９を用いて、本実施形態における通信端末１００によるアニメメール作成動作について説明する。
【００８８】
制御部１１は、操作部１５により選択されたアニメメールフォーマット６００を図７のように表示部１４に表示させる。図７には、アニメメールフォーマット６５０、６６０、６７０がそれぞれ選択された場合のアニメメール作成画面を示されている。なお、選択可能なアニメメールフォーマットの数は、本実施形態に示されたものに限定されないものとする。
【００８９】
また、図７に示されているように、アニメメール作成画面上には、表示されているアニメメールフォーマット６５０、６６０、６７０ごとに、それぞれコマ順設定欄６５１、６６１、６７１と、操作指示設定キー６５２、６６２、６７２とが設けられている。コマ順設定欄は、各アニメメールフォーマットのアニメーション画像のメール受信側における表示順を設定するための入力領域である。また、操作指示設定キーは、各アニメーション画像上に操作指示キーを設けるための情報入力キーである。
【００９０】
次に、操作者は、操作部１５を用いて、コマ順設定欄６５１、６６１、６７１に数字などを入力し、アニメメール再生時における各アニメメールフォーマットのアニメーション画像の表示順序を決定する。本実施形態では、一例として、コマ順設定欄６５１に「３」、コマ順設定欄６６１に「２」、コマ順設定欄６７１に「１」と入力し、アニメメールフォーマット６７０→６６０→６５０の順にアニメーション画像表示するように指定するものとする。
【００９１】
制御部１１は、図７のアニメメール作成画面におけるコマ順設定欄６５１、６６１、６７１に各アニメメールフォーマットの表示順序の入力を認識すると、図８に示されるアニメメール作成画面を表示部１４に表示させる。
【００９２】
図８では、指定された表示順にしたがって、アニメメールフォーマット６７０→６６０→６５０の順にアニメメールフォーマットのアニメーション画像が並べ替えられている。最終コマ以外のアニメメールフォーマット６７０、６６０のアニメーション画像には、受信側におけるアニメメール閲覧時に次のコマに移行するためのＮＥＸＴキー６７３、６６３がそれぞれ設けられる。また、最終コマのアニメメールフォーマット６５０のアニメーション画像には、受信側におけるアニメメール閲覧時にアニメメール閲覧を終了するためのＥＮＤキー６５３が設けられる。
【００９３】
また、第１の実施形態では、操作指示キーが押下されると、箱からクマが飛び出したり、背景に星が流れるといった仕掛け（アニメーション画像、映像、音声など）が現れる例を説明したが、本実施形態では、任意のコマ（アニメメールフォーマット）に上述したような仕掛けを設けることが可能である。操作者は、操作部１５を用いて、上述した仕掛けを設けるコマ（アニメメールフォーマット）に対応する操作指示設定キーを選択する。
【００９４】
本実施形態では、一例として、操作部１５により操作指示設定キー６５２が選択された場合、すなわち３コマ目のアニメメールフォーマット６５０表示後に仕掛けを再生するように設定する場合について説明する。制御部１１は、３コマ目の操作指示設定キー６５２が選択されたことを認識すると、図９に示すようなアニメメール作成画面を表示部１４に表示させる。
【００９５】
図８では、３コマ目のアニメメールフォーマット６５０のアニメーション画像上にＮＥＸＴキー６５３が設けられていたが、操作指示設定キー６５２選択により、図９では、３コマ目のアニメメールフォーマット６５０のアニメーション画像上にＥＮＤキー６５３の代わりに操作指示キー６５４が表示される。アニメメール受信側において、アニメメール閲覧時に操作指示キー６５４が選択された場合、仕掛け（アニメーション画像、映像、音声など）が再生される。なお、操作部１５は、アニメメールフォーマット６５０のアニメーション画像上において操作指示キー６５４を任意の位置に設けることが可能である。
【００９６】
操作指示設定キー６５２が選択されると、図９に示されるように、表示部１４は、操作指示キー６５４設定が指示されたアニメメールフォーマット６５０のアニメーション画像の次のコマとして、アニメメールフォーマット６５０、６６０、６７０のアニメーション画像に加えて、上記の仕掛け再生後のコマを示すアニメメールフォーマット６８０のアニメーション画像を表示する。
【００９７】
図８に示されるアニメメール作成画面では、３コマ目のアニメメールフォーマット６５０のアニメーション画像が最終コマであったため、アニメメールフォーマット６５０のアニメーション画像上にＥＮＤキー６５３が表示されていたが、アニメメールフォーマット６５０に操作指示キー６５４および仕掛けが設定されたため、図９のアニメメール作成画面では、操作指示実行後のアニメメールフォーマット６８０のアニメーション画像上にＥＮＤキー６８３が設けられる。
【００９８】
なお、仕掛けとして再生されるアニメーション画像、映像、音声情報などは、操作指示キーが設けられているアニメーション画像の各アニメメールフォーマットに予め含まれているものとする。例えば、アニメメールフォーマット６５０のアニメーション画像上の操作指示キー６５４選択時に再生されるアニメーション画像、映像、音声情報などは、アニメメールフォーマット６５０に含まれている。
【００９９】
その後、第１の実施形態と同様に、通信端末１００は、アニメメールフォーマット６５０、６６０、６７０、６８０のアニメーション画像上に文字情報を入力することで、アニメメール作成を完了する。通信端末１００は、アニメメール作成後、送信先のメールアドレスを入力してアニメメールを入力したメールアドレス宛に送信する。
【０１００】
通信端末２００が通信端末１００からアニメメールを受信すると、受信者は、コマ順設定欄により設定された順序でアニメーション画像を通信端末２００に表示させ、読み進めていく。
【０１０１】
なお、アニメメール作成画面上の各種キー、入力欄などは、ＧＵＩ環境下におけるアイコンにより実現されるとしてよい。
【０１０２】
また、本実施形態では、通信端末１００は、１コマのアニメーション画像により構成されるアニメメールフォーマットをいくつかダウンロードし、ダウンロードした所定数のアニメメールフォーマットを抽出して組み合わせてアニメメールを作成していた。本実施形態の変形例として、通信端末１００は、Ｎ（Ｎは１以上の整数）コマのアニメーション画像から構成されるアニメメールフォーマットをいくつかダウンロードし、ダウンロードしたＮコマからなるアニメメールフォーマットを組み合わせてアニメメールを作成するとしてもよい。
【０１０３】
以上説明したように、本実施形態によれば、通信端末１００は、ダウンロードしたアニメメールフォーマットのうち、所定数のアニメメールフォーマットを選択して、その選択したアニメメールフォーマットに表示順を設定してアニメメールを作成する。メール送信者は、送信するアニメメールのアニメーション画像を自由に選択できるとともに、その表示順を自由に設定することができる。従って、メール送信者の感情を効果的に表現することが可能な電子メールを作成することが可能となる。
【０１０４】
また、上記の処理は、通信端末１００、２００、またはサーバ４００が有するコンピュータプログラムにより実行されるが、上記のプログラムは、光記録媒体、磁気記録媒体、光磁気記録媒体、または半導体などの記録媒体に記録され、上記の記録媒体からロードされるようにしてもよいし、所定のネットワークを介して接続されている外部機器からロードされるようにしてもよい。
【０１０５】
なお、上記の実施形態は本発明の好適な実施の一例であり、本発明の実施形態は、これに限定されるものではなく、本発明の要旨を逸脱しない範囲において種々変形して実施することが可能となる。
【０１０６】
【発明の効果】
以上説明したように、本発明によれば、通信端末装置は、アニメーション画像により構成される電子メールを送信する。従って、ドキュメントのみのメールと比較すると、メールにアニメを取り入れることで、受信者が直感的に内容を理解することが可能となる。また、送信者の感情を表現するためにアニメを用いることにより、日常生活の多くの場面で有効に活用でき、その結果、自分の気持ちをありのままに伝えたいという場面で、自身の感情を効果的に表現することが可能となる。
【０１０７】
また、本発明によれば、通信端末装置は、再生順を設定した数コマのアニメーション画像をまとめた一通の電子メールを送信する。従って、受信者が電子メールを開封しても、直ぐに結論が見えないようになっており、受信者の好奇心をくすぐることが可能となる。
【０１０８】
また、本発明によれば、通信端末装置は、数コマのアニメーション画像から構成されるアニメメールフォーマットをメールフォーマット提供サーバからダウンロードし、その各コマに文字情報を入力することによりアニメメールを作成する。通信端末装置は、作成した電子メールを他の通信端末装置に送信する。従って、メール送信者は、文字情報を入力するだけの簡単な操作で、自身の感情を効果的に表現可能なストーリー性を有するメールを送付することが可能となる。
【０１０９】
以上説明したように、本発明によれば、通信端末装置は、ダウンロードしたアニメメールフォーマットのうち、所定数のアニメメールフォーマットを選択して、その選択したアニメメールフォーマットに表示順を設定して電子メールを作成する。メール送信者は、送信する電子メールのアニメーション画像を自由に選択できるとともに、その表示順を自由に設定することができる。従って、メール送信者の感情を効果的に表現することが可能な電子メールを作成することが可能となる。
【図面の簡単な説明】
【図１】本発明の第１の実施形態におけるアニメメール通信システムの構成を示す図である。
【図２】本発明の第１の実施形態における通信端末の構成を示す図である。
【図３】第１の実施形態の通信端末による動作の流れを示すフローチャートである。
【図４】本発明の第１の実施形態におけるアニメメールフォーマットの一例を示す図である。
【図５】本発明の第１の実施形態における通信端末による動作の流れを示すフローチャートである。
【図６】本発明の第１の実施形態におけるアニメメールの一例を示す図である。
【図７】本発明の第２の実施形態におけるアニメメール作成画面を示す図である。
【図８】本発明の第２の実施形態におけるアニメメール作成画面を示す図である。
【図９】本発明の第２の実施形態におけるアニメメール作成画面を示す図である。
【符号の説明】
１１、２１  制御部
１２、２２  送受信部
１３、２３  情報格納部
１４、２４  表示部
１５、２５  操作部
１６、２６  音声入出力部
１００、２００  通信端末
３００、７００  ネットワーク
５００  コンテンツ
６００、６５０、６６０、６７０  アニメメールフォーマット
６１０、６２０、６３０、６４０、８１０、８２０、８３０、８４０  アニメーション画像
６３１、６５４、８３１  操作指示キー
６５１、６６１、６７１、６８１  コマ順設定欄
６５２、６６２、６７２、６８２  操作指示設定キー
６５３、６７３、６８３、８１１、８２１  ＮＥＸＴキー
６６３、８４１  ＥＮＤキー
【図１】
2004171217.tif 000003
【図２】
2004171217.tif 000004
【図３】
2004171217.tif 000005
【図４】
2004171217.tif 000006
【図５】
2004171217.tif 000007
【図６】
2004171217.tif 000008
【図７】
2004171217.tif 000009
【図８】
2004171217.tif 000010
【図９】
2004171217.tif 000011